【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
複数の符号化ビデオピクチャを生成するためにビデオデータを符号化する方法であって、
エンコーダにおいてビデオデータを取得するステップと、
前記複数の符号化ビデオピクチャを生成するために、イントラブロックコピー予測を使用して、前記ビデオデータに対してイントラピクチャ予測を実行することを決定するステップと、
前記イントラブロックコピー予測を使用して前記ビデオデータに対して前記イントラピクチャ予測を実行するステップと、
前記イントラブロックコピー予測を使用して前記ビデオデータに対して前記イントラピクチャ予測を実行することを決定することに応じて、前記複数の符号化ビデオピクチャに関してインターピクチャ双予測およびインターピクチャ単予測のうちの少なくとも1つを無効化するステップと、
前記実行されたイントラブロックコピー予測に従って前記ビデオデータに基づいて前記複数の符号化ビデオピクチャを生成するステップと
を含み、
前記複数の符号化ビデオピクチャを生成するステップは、前記複数の符号化ビデオピクチャを生成するために、前記イントラブロックコピー予測を使用して前記ビデオデータに対して前記イントラピクチャ予測を実行しないことを決定した場合、インターピクチャ双予測またはインターピクチャ単予測を使用するステップを含む、方法。
【請求項２】
予測ユニットサイズを決定するステップであって、
前記イントラブロックコピー予測を使用して前記ビデオデータに対して前記イントラピクチャ予測を実行することを決定すること、および
前記予測ユニットサイズがしきい値に満たないこと
の組合せに応じて、前記複数の符号化ビデオピクチャに関して前記インターピクチャ双予測または前記インターピクチャ単予測が無効化される、決定するステップ
をさらに含む、請求項1に記載の方法。
【請求項３】
前記しきい値が、8×8ピクセルの予測ユニットサイズである、請求項2に記載の方法。
【請求項４】
予測ユニットサイズを決定するステップであって、
前記イントラブロックコピー予測を使用して前記ビデオデータに対して前記イントラピクチャ予測を実行することを決定すること、および
前記予測ユニットサイズがしきい値に満たないこと、
の組合せに応じて、前記複数の符号化ビデオピクチャに関して前記インターピクチャ双予測および前記インターピクチャ単予測が無効化される、決定するステップ
をさらに含む、請求項1に記載の方法。
【請求項５】
前記組合せは、適応動きベクトル解像度(AMVR)が無効化されていることをさらに含む、請求項2から4のいずれか一項に記載の方法。
【請求項６】
前記組合せが、前記インターピクチャ双予測が、異なる参照ユニットおよび異なる動きベクトルのうちの少なくとも1つを有することをさらに含む、請求項5に記載の方法。
【請求項７】
前記イントラブロックコピー予測を使用して前記ビデオデータに対して前記イントラピクチャ予測を実行することが、
ピクチャ内で既に符号化されたルーマおよびクロマサンプルのブロックから、同じ前記ピクチャのビデオブロックのルーマおよびクロマサンプルを予測するステップを含む、請求項1から6のいずれか一項に記載の方法。
【請求項８】
ビデオデータを符号化するための装置であって、
ビデオデータを記憶するように構成されたメモリと、
プロセッサとを含み、前記プロセッサが、
前記ビデオデータを取得することと、
複数の符号化ビデオピクチャを生成するために、イントラブロックコピー予測を使用して、前記ビデオデータに対してイントラピクチャ予測を実行することを決定することと、
前記イントラブロックコピー予測を使用して前記ビデオデータに対して前記イントラピクチャ予測を実行することと、
前記イントラブロックコピー予測を使用して前記ビデオデータに対して前記イントラピクチャ予測を実行することを決定することに応じて、前記複数の符号化ビデオピクチャに関してインターピクチャ双予測およびインターピクチャ単予測のうちの少なくとも1つを無効化することと、
前記実行されたイントラブロックコピー予測に従って前記ビデオデータに基づいて前記複数の符号化ビデオピクチャを生成することと
を行うように構成され、
前記複数の符号化ビデオピクチャを生成することは、前記複数の符号化ビデオピクチャを生成するために、前記イントラブロックコピー予測を使用して前記ビデオデータに対して前記イントラピクチャ予測を実行しないことを決定した場合、インターピクチャ双予測またはインターピクチャ単予測を使用することを含む、装置。
【請求項９】
前記プロセッサが、予測ユニットサイズを決定し、前記予測ユニットサイズがしきい値に満たないことにさらに応じて前記複数の符号化ビデオピクチャに関して前記インターピクチャ双予測または前記インターピクチャ単予測を無効化するようにさらに構成される、請求項8に記載の装置。
【請求項１０】
前記プロセッサが、予測ユニットサイズを決定し、前記予測ユニットサイズがしきい値に満たないことにさらに応じて、前記複数の符号化ビデオピクチャに関して前記インターピクチャ双予測および前記インターピクチャ単予測を無効化するようにさらに構成される、請求項8に記載の装置。
【請求項１１】
複数の復号ビデオピクチャを生成するためにビデオデータを復号する方法であって、
複数の予測モードを使用して符号化された符号化ビデオデータをビデオビットストリーム内で受信するステップであって、前記複数の予測モードが、
インターピクチャ単予測モードと、
インターピクチャ双予測モードと、
イントラピクチャイントラブロックコピーモードと
を含む、受信するステップと、
前記符号化ビデオデータの一部に関してインターピクチャ双予測が無効化されているという表示を前記ビデオビットストリーム内で受信するステップであって、前記インターピクチャ双予測が、前記イントラピクチャイントラブロックコピーモードが有効化されたときに無効化される、受信するステップと、
前記表示に基づいて、前記符号化ビデオデータの前記一部の予測ユニットを予測するための予測モードを前記複数の予測モードから決定するステップと、
前記決定された予測モードに従って前記符号化ビデオデータの前記一部の前記予測ユニットを復号するステップと
を含み、
前記ビデオデータは、前記イントラピクチャイントラブロックコピー予測モードが前記複数の符号化ビデオピクチャに関して有効化されないと決定された場合に、インターピクチャ双予測またはインターピクチャを使用して復号化される、方法。
【請求項１２】
ビデオデータを復号するための装置であって、
ビデオビットストリーム内で受信され、複数の予測モードを用いて符号化された符号化ビデオデータを記憶するように構成されたメモリであって、前記複数の予測モードが、
インターピクチャ単予測モードと、
インターピクチャ双予測モードと、
イントラピクチャイントラブロックコピーモードと
を含む、メモリと、
プロセッサとを含み、前記プロセッサが、
前記メモリから前記符号化ビデオデータを取得することと、
前記符号化ビデオデータの一部に関してインターピクチャ双予測が無効化されているという表示を前記ビデオビットストリーム内で受信することであって、前記インターピクチャ双予測が、前記イントラピクチャイントラブロックコピーモードが有効化されたときに無効化される、受信することと、
前記表示に基づいて、前記符号化ビデオデータの前記一部の予測ユニットを予測するための予測モードを前記複数の予測モードから決定することと、
前記決定された予測モードに従って前記符号化ビデオデータの前記一部の前記予測ユニットを復号することと
を行うように構成され、
前記ビデオデータは、前記イントラピクチャイントラブロックコピー予測モードが前記複数の符号化ビデオピクチャに関して有効化されないと決定された場合に、インターピクチャ双予測またはインターピクチャを使用して復号化される、装置。
【請求項１３】
前記プロセッサが、前記表示に応じて、前記符号化ビデオデータの前記一部の前記予測ユニットを予測するための使用から前記インターピクチャ双予測モードを除外するようにさらに構成される、請求項12に記載の装置。
【請求項１４】
前記符号化ビデオデータの前記一部が複数のピクチャを含む、請求項12または13に記載の装置。
【請求項１５】
プロセッサにより実行されたときに、前記プロセッサに請求項1から6および11のいずれか一項に記載の方法を実行させる命令を記録したコンピュータ可読記録媒体。